(57)【要約】【課題】生体にダメージを残すことなく、取り付け及び取り外しが可能であるＩＣタグを提供する。【解決手段】ＩＣタグ１は、生体の皮膚に取り付けて生体に関する情報を記録する。ＩＣタグ１は、外形が円形であるＩＣモジュール２と、ＩＣモジュール２を生体の皮膚に粘着して保護するシート状の保護テープ４からなる。ＩＣモジュール２は、粘着材３で皮膚５に貼付され、さらに保護テープ４によっても皮膚５に貼付されている。【選択図】図１
2008123283.tif 000002
【特許請求の範囲】
【請求項１】
生体の皮膚に取り付けて生体に関する情報を記録するＩＣタグであって、少なくともＩＣチップ、回路基材を含んでなるＩＣモジュールと、
前記ＩＣモジュールを生体の皮膚に粘着して保護するシート状の保護テープとを備えることを特徴とするＩＣタグ。
【請求項２】
動物の皮膚に取り付けて医療用実験データを記録することを特徴とする請求項１記載のＩＣタグ。
【発明の詳細な説明】
【技術分野】
【０００１】
本発明はＩＣタグに関するもので、特に生体の皮膚に取り付けて生体に関する情報を記録するＩＣタグに関する。
【背景技術】
【０００２】
医療に関する動物実験にあっては、例えばラット等に投与した薬の量、個体識別、さらには実験開始日付、薬の投与日付、変化のあった日付などを管理するためにＩＣタグが使用されるようになってきている。
【０００３】
従来の動物認識用のＩＣタグとしては、下記特許文献１に記載されているように動物の耳などに貫通穴を開け、貫通管などを用いて取り付けるものがあった。
【特許文献１】特開２００６−１９１９００号公報
【発明の開示】
【発明が解決しようとする課題】
【０００４】
しかし、前述したように動物の耳などに貫通穴を開けてＩＣタグを取り付けるのでは、ＩＣタグを回収のために取り外すときに、耳にダメージが残る。
【０００５】
本発明は、前記実情に鑑みてなされたものであり、動物を含めた生体にダメージを残すことなく、非侵襲で取り付け及び取り外しが可能であるＩＣタグの提供を目的とする。
【課題を解決するための手段】
【０００６】
本発明は、前記実情に鑑みてなされたものであり、生体の皮膚に取り付けて生体に関する情報を記録するＩＣタグであって、ＩＣモジュールと、前記ＩＣモジュールを生体の皮膚に粘着するシート状の粘着性テープとを備える。
【０００７】
また、前記ＩＣモジュールは、少なくともＩＣチップ、回路基材を含んでなるのが好ましい。また、本発明のＩＣタグは、動物の皮膚に取り付けて医療用実験データを記録することが好ましい。
【発明の効果】
【０００８】
本発明のＩＣタグによれば、動物を含めた生体にダメージを残すことなく、非侵襲で取り付け及び取り外しが可能である。
【発明を実施するための最良の形態】
【０００９】
以下、本発明の好適な実施形態について詳細に説明する。本発明は、これらの実施形態に限定されるものではない。
【００１０】
図１は、本発明のＩＣタグの一実施形態の断面図である。図１に示すＩＣタグ１は、生体の皮膚に取り付けて生体に関する情報を記録する。ＩＣタグ１は、外形が円形であるＩＣモジュール２と、ＩＣモジュール２を生体の皮膚に粘着して保護するシート状の保護テープ４からなる。ＩＣモジュール２は、粘着材３で皮膚５に貼付され、さらに保護テープ４によっても皮膚５に貼付される。
【００１１】
図２はラット２０の腹部２１に、ＩＣタグ１を貼り付けた状態を示す。また、図３はＩＣタグ１のＩＣモジュール２と保護テープ４とを別々に示した図である。ＩＣモジュール２は、少なくともＩＣチップ、回路基材を含んでなる。このＩＣタグ１は、ラットなどの動物の皮膚に取り付けて医療用実験データを記録するのに用いられる。具体的には、ＩＣタグ１は、図１及び図２のように剃毛した動物（ラットなど）２０の腹部２１の露出した皮膚５に、粘着材３及び保護テープ４によって貼り付けられる。そして、個体識別や、薬の投与状況などのデータを記録し、管理のために使われる。図４はＩＣタグ１のタグ自体の断面図である。この保護テープ４付のＩＣタグ１は、タグ自体の直径を５．５ｍｍとする。また、動物の大きさによっては１０ｍｍでもよい。
【００１２】
ＩＣタグは、図４に示すように、ＩＣモジュール２と、ＩＣモジュール２の上面に積層した第１の接着層６と、第１の接着層６の上面に積層した第１の表皮層７と、ＩＣモジュール２の下面に積層した第２の接着層８と、第２の接着層８の下面に第２の表皮層９と、第２の表皮層９の下面に積層した粘着層３と、粘着層３の下面に積層した剥離層１０とを備える。ＩＣモジュール２は、ＩＣチップ１１に電気的に接続されたアンテナ１２を備えてなる。
【００１３】
ＩＣタグ１はいわゆる非接触タグであり、例えばＵＨＦ波やマイクロ波を用いる電波方式の通信を行い、ＩＣチップ１１にアンテナ１２を取り付けた構造で、数センチメートルの距離の通信が可能である。ＩＣチップ１１内に例えば医療に関する動物実験にあっては、例えばラット等に投与した薬の量、個体識別、さらには実験開始日付、薬の投与日付、変化のあった日付などを記録しておく。これらのデータは、導体回路でなるアンテナ１２を介して通信により、ＩＣタグ読み取り部に読み取られる。ＩＣタグ読み取り部によって読み取られた管理情報は担当者によって把握される。第１の表皮層７と第２の表皮層９は薄いプラスチック板からなる。薄いプラスチック板からなることでＩＣタグ１は容易に曲げることが可能となり、平面上のみならず、生体の皮膚５のような曲面上にも貼付することができる。具体的には、第１の表皮層７と第２の表皮層９の材料としてポリエチレンテレフタレートフィルムを用いることができる。
【００１４】
アンテナ１２は、導体により形成される。アンテナ１２のパターンを図５に示す。アンテナ１２は、ＩＣチップ１１の一端を電気的に接続した１本の配線が、円形にアンテナを形成しＩＣチップ１１のもう一端と電気的に接続されている。また、アンテナ１２は、円形のほか、楕円形及び矩形でもよい。
【００１５】
第１の表皮層７と第２の表皮層９は、柔軟性のあるプラスチック基材などからなる。第１の表皮層７と第２の表皮層９は、ＩＣチップ１１及びアンテナ１２を衝撃から保護する。粘着層３は、ゴム系、アクリル系などの粘着材からなる。通常は、粘着層３は剥離層１０の存在によって外部に露出しない構造となっているが、剥離層１０と粘着層３は容易に分離することが可能な構造となっている。したがって使用する際には剥離層１０を剥がすことにより、外部に露出した粘着層３をラットなどの皮膚に接触させてＩＣタグを貼付することが可能である。また、粘着層３を形成する粘着材は第１の接着層６及び第２の接着層８に用いられる材料よりも接着力の弱いものからなる。一度貼付したＩＣタグを剥がす際に、第２の表皮層９が分離することでＩＣタグが破壊されるのを防ぐためである。第１の表皮層７の上には保護テープ４がかぶせられる。
【００１６】
なお、実施の形態に係るＩＣタグのアンテナ１２の材料として、上述の導体以外のものでポリエチレンテレフタレートに導体をラミネートしたものや、熱硬化樹脂を用いた板、熱可塑性樹脂を用いた板等に導体をラミネートしたものを用いることができる。
【００１７】
また、アンテナ１２についても、図５に示す回路パターンに限定するのではなく、メアンダライン等の他のパターンでも良いことはもちろんである。
【００１８】
保護テープ４は、支持体上に粘着材組成物又は粘着性薬剤組成物を塗布してなる。生体の皮膚に対して、良好な粘着性を有し、しかも適当な透湿性を有する。粘着材組成物及び粘着性薬剤組成物の粘着材としては、テープ製剤用には、ゴム系、シリコン系、アクリル系、酢酸ビニル系、ビニルエーテル系などが使用されている。これらの中でも、皮膚刺激が少なく、コストの低いアクリル系粘着材を用いる。
【００１９】
なお、本ＩＣタグは、ラットにのみ使用が限定されるものではなく、人体を含む生体全てに適用可能である。
【００２０】
また、前記実施の形態では、粘着層３を設けたが、粘着層３を設けず、保護テープ４のみで、ＩＣタグ１を皮膚５に取り付けてもよい。
【００２１】
また、ＩＣモジュール２は、円形のほか、楕円形及び矩形でもよい。また、保護テープ４は円形、楕円形、又は矩形でもよい。
【図面の簡単な説明】
【００２２】
【図１】ＩＣタグの一実施形態の断面図である。
【図２】ラットの腹部に、ＩＣタグを貼り付けた状態を示す図である。
【図３】ＩＣタグのＩＣモジュールと保護テープとを別々に示した図である。
【図４】ＩＣタグのタグ自体の断面図である。
【図５】アンテナコイルのパターンを示す図である。
【符号の説明】
【００２３】
１  ＩＣタグ
２  ＩＣモジュール
３  粘着層
４  保護テープ
５  皮膚
【図１】
2008123283.tif 000003
【図２】
2008123283.tif 000004
【図３】
2008123283.tif 000005
【図４】
2008123283.tif 000006
【図５】
2008123283.tif 000007